(57)【要約】【課題】清掃性のよい新規な見切り材を提供する。【解決手段】壁面４と床面５とのコーナー部に沿って前記壁面側に帯状に設けられる見切り材１であって、前記壁面に固着される基板３と、該基板を覆う着脱自在な化粧カバー２とを備え、前記化粧カバーは、少なくとも前記基板の上端面３０と垂直面３１の上方とを覆い、該上端面と前記化粧カバーの内面の間には空間部１０が構成されるよう形成された上端部２０を備えていることを特徴とする。【選択図】図１
2010121420.tif 000002
【特許請求の範囲】
【請求項１】
壁面と床面とのコーナー部に沿って前記壁面側に帯状に設けられる見切り材であって、
前記壁面に固着される基板と、該基板を覆う着脱自在な化粧カバーとを備え、
前記化粧カバーは、少なくとも前記基板の上端面と垂直面の上方とを覆い、該上端面と前記化粧カバーの内面の間には空間部が構成されるよう形成された上端部を備えていることを特徴とする見切り材。
【請求項２】
請求項１において、
前記化粧カバーは、前記基板の前記垂直面を覆う前面部と、前記基板の下端面と前記床面との間に嵌め入れられる下端部とを備え、前記基板の前記垂直面、前記上端面及び前記下端面を覆うよう構成されたことを特徴とする見切り材。
【請求項３】
請求項２において、
前記基板の前記垂直面と前記化粧カバーの前記前面部内面との間に第２の空間部が形成されるよう構成されていることを特徴とする化粧カバー。
【請求項４】
請求項１〜請求項３のいずれか１項において、
前記化粧カバーの上端部と前記壁面とによって形成される角部に、透明リップ部材が設けられたことを特徴とする化粧カバー。
【請求項５】
請求項１〜請求項４のいずれか１項において、
前記基板の前記上端面の反壁面側に反壁側切欠段部を形成し、該反壁側切欠段部或いは前記化粧カバーの前記前面部内面のいずれか一方に係合突起部を設け、これに対して前記基板の前記反壁側切欠段部或いは前記化粧カバーの前記前面部内面のいずれか一方に係合受凹部が設けられており、
前記係合受凹部に前記係合突起部を係合させることにより前記基板に前記化粧カバーが取付けられることを特徴とする見切り材。
【請求項６】
請求項１〜請求項４のいずれか１項において、
前記基板の前記上端面の前記壁面側に壁側切欠段部を形成し、前記化粧カバーの前記上端部には、該壁側切欠段部に係合される延出部が設けられており、
前記壁側切欠段部に前記延出部を係合させることにより前記基板に前記化粧カバーが取付けられることを特徴とする見切り材。
【発明の詳細な説明】
【技術分野】
【０００１】
本発明は、壁面と床面とのコーナー部に沿って壁面側に帯状に設けられる巾木や腰板などの見切り材に関する。
【背景技術】
【０００２】
従来より、上述の見切り材を設け、床掃除などで傷みやすい壁面下部の損傷や汚れを保護したり、壁面と床面の仕上げ部分の隙間を隠しおさまりを美しく仕上げることがなさている。
このような見切り材は、細釘などの固定具及び接着剤などを用いて壁面側に固着され、一度取付けられると外せないようになっているものがほとんどである。
【０００３】
そこで壁面への取付け、取外しが容易な巾木が種々提案されている。
下記特許文献１には、樹脂材からなる巾木が開示されており、ベース部、カバー部、接続部、弾性シール部などによって構成され、接着剤を用いることなく壁面に固着されているので、固定具を取外せば巾木を容易に取外すことができるとされている。よって壁面のクロスが接着剤で汚れることがなく、クロスを貼り替える際のリフォーム時間を短縮させることができる。
下記特許文献２には、薄肉のアルミ合金などの合金材からなる巾木が開示されており、壁面に沿って固定部材により取付けられる略平板型の基板とその基板に係脱自在に係合するカバーとから構成したものが記載されている。これによれば、巾木の係脱施工が容易であり、事前に巾木の基板だけ先行取付けが可能となるため、施工時間が短縮できるとされている。
【特許文献１】特開２００３−１９３６７１号公報
【特許文献２】特開２００３−０３５０３１号公報
【発明の開示】
【発明が解決しようとする課題】
【０００４】
しかしながら、リフォームなど施工性の観点ではなく、清掃性の観点から、掃除のときに素人でも容易に取外し可能な見切り材が求められている。
厚みが薄い帯状の見切り材の上端面は小さい面積とはいえ、ホコリ、汚れなどが溜まりやすく、普段は目立たなくても、その部分のホコリを布などで拭き取ると見切り材と壁面の境界のコーナー部分のホコリがとりきれず、逆に壁面に貼られたクロスを黒く汚してしまうことがある。また巾木の長手方向に細溝が形成されているような場合はその細溝にホコリが入り込んで掃除しにくいことが問題となる。
【０００５】
本発明は、上記実情に鑑みなされたものであり、清掃性のよい新規な見切り材を提供する。
【課題を解決するための手段】
【０００６】
前記課題を解決するために、本発明に係る見切り材は、壁面と床面とのコーナー部に沿って前記壁面側に帯状に設けられる見切り材であって、前記壁面に固着される基板と、該基板を覆う着脱自在な化粧カバーとを備え、前記化粧カバーは、少なくとも前記基板の上端面と垂直面の上方とを覆い、該上端面と前記化粧カバーの内面の間には空間部が構成されるよう形成された上端部を備えていることを特徴とする。
【０００７】
本発明において、前記化粧カバーは、前記基板の前記垂直面を覆う前面部と、前記基板の下端面と前記床面との間に嵌め入れられる下端部とを備え、前記基板の前記垂直面、前記上端面及び前記下端面を覆うよう構成されたものとすることができる。
これによれば、壁面に固着された基板が化粧カバーで覆われるので、基板を固着するために用いられた固定具などが外から見えることがなく、見栄えのよいものとすることができる。また基板の下端面と床面との間に化粧カバーの下端部を嵌め入れれば、化粧カバーを容易に取付けることができ、化粧カバーの着脱に際して工具が必要ない。
【０００８】
また本発明において、前記基板の前記垂直面と前記化粧カバーの前記前面部内面との間に、第２の空間部が形成されるよう構成されているものとすることができる。
これによれば、第２の空間部が形成されているので、基板の垂直面に釘頭の大きい釘などを打ち込むことができ、出っ張った釘頭などを覆い隠すことができる。また第２の空間部を、電気配線を這わせるスペースとすることもできる。
【０００９】
更に本発明において、前記化粧カバーの前記上端部と前記壁面とによって形成される角部に、透明リップ部材が設けられたものとすることができる。
これによれば、ホコリなどが溜まりやすく、また掃除がしにくい上記角部にホコリなどが入り込むのを防ぐことができる。透明のリップ部材を用いるのでリップ部材が目立つことがない。
【００１０】
そして本発明において前記基板の前記上端面の反壁面側に反壁側切欠段部を形成し、該反壁側切欠段部或いは前記化粧カバーの前記前面部内面のいずれか一方に係合突起部を設け、これに対して前記基板の前記切欠段部或いは前記化粧カバーの前記前面部内面のいずれか一方に係合受凹部が設けられており、前記係合凹部に前記係合突起部を係合させることにより前記基板に前記化粧カバーが取付けられるものとすることができる。
これによれば、切欠段部に係合受凹部或いは係合突起部が設けられているので、見切り材の厚みを厚くすることなく、化粧カバーをしっかりと支持したものでありながら、着脱が容易な構造を実現することができる。
【００１１】
また本発明において、前記基板の前記上端面の前記壁面側に壁側切欠段部を形成し、前記化粧カバーの前記上端部には、該壁側切欠段部に係合される延出部が設けられており、前記壁側切欠段部に前記延出部を係合させることにより前記基板に前記化粧カバーが取付けられるものとすることもできる。
この場合も、見切り材の厚みを厚くすることなく、化粧カバーをしっかりと支持したものでありながら、化粧カバーの着脱が容易な構造を実現することができる。
【発明の効果】
【００１２】
本発明に係る見切り材によれば、基板を着脱自在な化粧カバーで覆うことで、汚れが溜まりやすい見切り材と壁面との境界のコーナー部分や、見切り材の上端面に溜まるホコリなどを掃除するときには、化粧カバーを外して掃除することができる。よって見切り材（巾木、腰板など）の清掃性を向上させることができる。
また基板と化粧カバーとの間に空間部を備えていることにより、化粧カバーを取外すと、特にホコリなどが溜まったときに拭き取りにくい化粧カバーの上端面と壁面との境界部分だけでなく、その周りも清掃することができ、見切り材まわりを清潔にすることができる。
【発明を実施するための最良の形態】
【００１３】
以下に、本発明の実施の形態について、図面を参照しながら説明する。
図１は本発明に係る第１の実施形態に係る見切り材の構成を説明するための斜視図、図２は同見切り材を壁面に取付けた状態を示す断面図、図３は同見切り材にリップ部材が取付けられた例を示した要部拡大断面図、図４は同見切り材の変形例を示した図２と同様図、図５は同見切り材の更なる変形例を示した図２と同様図、図６（ａ）（ｂ）は図５に示す例の取付工程を説明するための要部拡大断面図、図７（ａ）（ｂ）は同見切り材の更に異なる変形例を示しており、取付工程を説明するための要部拡大断面図、図８は本発明に係る第２の実施形態に係る見切り材を壁面に取付けた状態を示す断面図である。
【００１４】
（第１の実施形態）
図１〜図７を参照しながら本発明の第１の実施形態に係る見切り材１について説明する。
図１、図２に示す見切り材１は、巾木として壁面４と床面５とのコーナー部に沿って壁面４側に帯状に設けられるものであって、該見切り材１は壁面４に固着される基板３と、該基板３を覆う着脱自在な化粧カバー２とを備えている。
基板３は長方形の板体からなり、壁面４に細釘６などによって固着され、後記する化粧カバー２の下端部２２が嵌め入れられるスペースを確保して壁面４に固着される。
基板３は上端面３０と、垂直面３１と、下端面３２とを備えており、木質材、樹脂材などから形成され、その材質は特に限定されるものではない。図例のものは基板３を固定する固定具として細釘６によって固着されているものを示しているがこれに限定されず、樹脂材などからなる基材３であればビスの挿通孔を形成しておき、壁面４に固着されるものであってもよい。基板３として木質材からなるものとする場合は、化粧カバー２で覆われ外から見えないので、集成材、合板など安価な木質材を用いることができる。
また、基板３の壁面４への固着方法は特に限定されるものはなく、接着剤によって固着させるものであってもよい。
【００１５】
化粧カバー２は、樹脂材、木質材などからなり、基板３の上端面３０を覆う上端部２０と、基板３の垂直面３１を覆う前面部２１と、基板３の下端面３２を覆い床面５との間に嵌め入れられる下端部２２とを備えている。
化粧カバー２の上端部は、基板３の上端面３０と化粧カバー２の内面の間に空間部１０が構成されるよう形成されている。空間部１０は化粧カバー２を取外した際に基板３の上端面３０と化粧カバー２で覆われていた壁面４を掃除できる程度の空間が確保できればよく、通常（化粧カバー２が基板３に取付けられているとき）はこの空間部１０を配線を這わせるスペースとして活用することもできる。
化粧カバー２の上端部２０側角部はテーパー状の面取り部２３となっており、これによれば、化粧カバー２の上端部２０側角部にものをぶつけても破損せず、また人が転倒などして怪我をしないように安全性に配慮した構成となっている。更には面取り部２３を備えていることによって、ホコリなどが溜まる面積を減らすことができ、清掃の回数を減らすこともできる。
【００１６】
次に見切り材１の取付け及び取外し要領について説明する。
（取付け要領）
まず、壁面４と床面５とのコーナー部に沿って、後に化粧カバー２の下端部２２が嵌め入れられるスペースを確保した状態で基板３を壁面４に細釘６で固着していく。このとき基板３は化粧カバー２を支持できれば壁面４の長手方向全体に設けられるのではなく、分割して構成されたもの、更には所定の間隔を置いて点在して設けられるものであってもよい。
そして化粧カバー２の下端部２２を基板３の下端面３２と床面５との間に嵌め入れ、壁面４側へと化粧カバー２をスライドさせれば、基板３の前方に化粧カバー２を取付けることができ、見切り材１の取付け完了である。
ここで化粧カバー２は壁面４の長手方向全体に帯状に連なって形成されたものに限定されず、分割して構成されたものであってもよいが、この場合は基板３が見えないよう化粧カバー２と化粧カバー２の継目は隙間なく配置される。
（取外し要領）
清掃時など見切り材１の化粧カバー２を取外したいときは、化粧カバー２をそのまま前方に取外せばよい。
【００１７】
以上のように、基板３を着脱自在な化粧カバー２で覆うことで、化粧カバー２の上端部２０と壁面４との境界のコーナー部分にホコリなどが溜まった場合は、化粧カバー２を取外して掃除することができる。
また基板３と化粧カバー２との間に空間部１０を備えていることにより、化粧カバー２を取外すと、特にホコリなどが溜まったときに拭き取りにくい化粧カバー２の上端面２０と壁面４との境界部分だけでなく、その周りも清掃することができ、見切り材１まわりを清潔にすることができる。すなわち、化粧カバー２を取外すと基材３の上端面から化粧カバー２の上端部２０で覆われていた壁面４が露出するので、その露出面を拭き掃除しやすく清掃性を向上させることができる。
更に化粧カバー２自体が丸洗い可能な素材からなるものであれば、取外した化粧カバー２を丸洗いしたり拭いたりして清掃することができる。
そして壁面４に固着された基板３が化粧カバー２で覆われるので、基板３を固着するために用いられた細釘６など固定具が外から見えることがなく、見栄えのよいものとすることができる。
【００１８】
図３は、上述した見切り材１にリップ部材１３が取付けられた例を示している。リップ部材１３は化粧カバー２の上端部２０壁面４側に接着剤などによって固着されており、化粧カバー２を基板３に嵌め入れた際に化粧カバー２と壁面４とによって形成される角部１２を塞ぐように設けられる。リップ部材１３の素材は特に限定されるものではないが、軟質樹脂材、ゴム材などからなり、壁面４に押し当てられた際に図３に示すように弾性変形し、しなるものであればよい。またリップ部材１３が透明からなるものであれば、目立たないものとすることができる。なお、リップ部材１３は、透明に限らず化粧カバー２或いは壁面４と同色、同系色からなるものとして、リップ部材１３を目立たないようにしてもよい。
これによれば、ホコリなどが溜まりやすく、また掃除がしにくい角部１２にホコリなどが入り込むのを防ぐことができる。
【００１９】
（変形例１）
図４は、上述した見切り材１の変形例を示している。よって上述と共通する部分には共通の符号を付し、共通する部分の説明は省略する。
ここに示す変形例は、基板３の垂直面３１と化粧カバー２の前面部２１内面との間に、第２の空間部１１が形成されるよう構成されている点で上述の見切り材１とは異なるものである。
このように第２の空間部１１を備えたものとすれば、基板３の垂直面３１に釘頭の大きい釘などを打ち込むことができ、出っ張った釘頭などを覆い隠すことができる。また第２の空間部１１を、電気配線を這わせるスペースとすることもできる。
【００２０】
（変形例２）
図５及び図６（ａ）、（ｂ）は、上述の見切り材１の更に異なる変形例を示している。よって上述と共通する部分には共通の符号を付し、共通する部分の説明は省略する。
ここに示す変形例は、化粧カバー２をしっかりと支持したものでありながら、化粧カバー２の着脱が容易な構造を示す例であり、基板３の上端面３０の反壁面側に反壁側切欠段部３３を形成されている点で異なり、また基板３と化粧カバー２とが係合凹部８に係合突起部７を係合させることで取付け状態となっている点でも異なるものである。
よってこの例の化粧カバー２は係合凹部８と係合突起部７との係合によって基板３に取付けられているので、上述の下端部２２は必ずしも必要ではないが、備えているものであってもよい。
【００２１】
図例のものは、化粧カバー２の前面部２１の内面に係合突起部７が設けられ、これに対して基板３の反壁側切欠段部３３の切欠面３３ａに係合受凹部８が設けられている。
係合突起部７は、化粧カバー２の前面部２１内面から突出した軸部７ａと、軸部７ａの先側に形成された球状の係合部７ｂとを備えている。
係合突起部７は、樹脂材などからなり、化粧カバー２が樹脂材などからなるものであれば、一体成型されるものであってもよいし、後から取付けられるものであってもよい。
【００２２】
係合受凹部８は、基板３の切欠面３３ａから突出した軸部８ａと、係合突起部７の係合部７ｂを受容し上下方向から挟持するフック状の受容部８ｂと、係合部７ｂが嵌め入れられる誘導口部８ｃとを備えている。受容部８ｂは球状の係合部７ｂを受容できるよう湾曲して形成されている。
係合受凹部８は、係合突起部７の係合部７ｂを受容して係止する弾性を備えた樹脂材などからなり、基板３が樹脂材などからなるものであれば、一体成型されるものであってもよいし、後から取付けられるものであってもよい。
係合突起部７及び係合受凹部８はそれぞれ対応する位置に点在して設けられるものであってもよいし、係合受凹部８側のみ基板３の長手方向にレール状に一連に設けるものとしてもよい。
【００２３】
図６（ａ）に示すように、壁面４に固着された基板３に化粧カバー２を取付ける際には、係合突起部７の係合部７ｂを受容部８ｂの先側８ｂａに押し当て、その状態で押圧していく（図６（ａ）矢印参照）。するとフック状の受容部８ｂが弾性変形して誘導口部８ｃが開き、係合部７ｂが受容部８ｂに嵌め入れられる。係合部７ｂが受容部８ｂ内におさまると受容部８ｂの弾性反力によって誘導口部８ｃが元の位置に戻り、係合凹部８に係合突起部７がしっかりと係合され、基板３に化粧カバー２が取付けられた状態となり、見切り材１が構成される（図６（ｂ）参照）。化粧カバー２を取外す際は受容部８ｂの係合が解除されるよう化粧カバー２を前方に引けば容易に基板３から化粧カバー２を取外すことができる。
このように、反壁側切欠段部３３に係合受凹部８が設けられているので、この構造を実現させるために見切り材１全体の厚みを厚くする必要がなく、見切り材１を薄く構成することもできる。また工具などを用いることなく、係合受凹部８に係合突起部７を係合或いは係合を解除させればよいだけなので、容易に化粧カバー２の着脱を行うことができる。
【００２４】
なお、係合突起部７及び係合受凹部８の形状、構成は図例に限定されるものではなく、また係合突起部７が基板３の反壁側切欠段部３３に設けられ、係合受凹部８が化粧カバー２の前面部２１内面に設けられたものとしてもよい。また図３に示す例のように角部１２にリップ部材１３を設けたものとしてもよいし、図４に示す例のように第２の空間部１１を備えたものとしてもよい。
【００２５】
（変形例３）
図７（ａ）、（ｂ）は、上述の見切り材１の更に異なる変形例を示している。よって上述と共通する部分には共通の符号を付し、共通する部分の説明は省略する。
ここに示す変形例も、変形例２と同様に化粧カバー２をしっかりと支持したものでありながら、化粧カバー２の着脱が容易な構造を示す例であり、基板３の上端面３０の壁面４側に壁側切欠段部３４を形成されている点で異なり、また化粧カバー２の上端部２０に壁側切欠段部３４に係合される延出部２４が設けられている点で異なるものである。
よってこの例の化粧カバー２は基板３に形成された壁側切欠段部３４の上方から延出部２４を係合させることによって基板３に取付けられているので、上述の下端部２２は備えていない。
【００２６】
図例のものは、基板３の上端面３０の壁面４側に壁側切欠段部３４が形成されているため、上端面３０の壁面４側には、空間が形成される。壁側切欠段部３４は溝状に一連に形成されるものであってもよいし、延出部２４が係合される位置に応じて点在して設けられるものであってもよい。
化粧カバー２の上端部２０には、該壁側切欠段部３４に係合される延出部２４が設けられている。延出部２４は、化粧カバー２が基板３に取付けられた状態において、上端部２０から壁面４に沿って下向きに形成されている。また延出部２４の延出長さは、延出部２４の縁部２４ａが壁側切欠段部３４の切欠面３４ａに当接した状態において空間部１０が構成されるよう形成される（図７（ｂ）参照）。
延出部２４も一連に連なって形成されているものであってもよいし、上述したように点在して設けられるものであってもよい。
【００２７】
図７（ａ）に示すように、壁面４に固着された基板３に化粧カバー２を取付ける際には、化粧カバー２を持ち上げて上方から壁面４に沿って壁側切欠段部３４に向かって下方へと（図７（ａ）矢印参照）、延出部２４の縁部２４ａが壁側切欠段部３４の切欠面３４ａに当接するまでスライドさせていく。すると、延出部２４が壁側切欠段部３４に係合され、基板３に化粧カバー２が取付けられた状態となり、見切り材１が構成される（図７（ｂ）参照）。化粧カバー２を取外す際は化粧カバー２を上方へスライドさせ持ち上げれば容易に基板３から化粧カバー２を取外すことができる。
このように基板３の上端面２０の壁面４側に壁側切欠段部３４を形成し、その壁側切欠段部３４に化粧カバー２の延出部２４を挿入して係合させればよいので、この構造を実現させるために見切り材１全体の厚みを厚くする必要がなく、見切り材１を薄く構成することもできる。また工具などを用いることなく、壁側切欠段部３４に延出部２４を挿入して係合或いは引き抜いて係合を解除させればよいだけなので、容易に基板３の前面に化粧カバー２を取付けることができる。
【００２８】
なお、壁側切欠段部３４及び延出部２４の形状、構成は図例に限定されるものではない。また図３に示す例のように角部１２にリップ部材１３を設けたものとしてもよいし、図４に示す例のように第２の空間部１１を備えたものとしてもよい。
【００２９】
（第２の実施形態）
図８を参照しながら本発明の第２の実施形態に係る見切り材１について説明する。第１の実施形態と共通する部分には共通の符号を付し、共通する部分の説明は省略する。
図８に示す見切り材１は、化粧カバー２が基板３の上端面３０と垂直面３１の上方一部とを覆ったものであり、基板３の垂直面３１の上方一部以外が露出している点で第１の実施形態と異なるものである。この場合でも基板３の上端面３０と化粧カバー２の内面の間には空間部１０が構成されるよう化粧カバー２が形成される点は第１の実施形態と同様である。
このようにホコリなどが溜まりやすい化粧カバー２の上端部２０と壁面４との境界のコーナー部分に着脱自在な化粧カバー２を設ければ第１の実施形態と同様に清掃性の向上を図ることができる。
化粧カバー２の着脱構造は、変形例２（図５、図６）、変形例３（図７）として説明した構造を採用することができる。
【００３０】
図８には変形例２で説明した構造を採用した例を示しており、反壁面４側に形成された反壁側切欠段部３３の切欠面３３ａに係合受凹部８が設けられており、化粧カバー２の前面部２１内面に係合突起部７が設けられている。
基板３の大半が露出するので、図例の細釘６などの固定具は切欠面３３ａに打ち込み接着剤などを用いて固着することが望ましい。また基板３はは壁面４の長手方向全体に帯状に連なって形成されたものに限定されず、分割して構成されたものであってもよいが、この場合は基板３と基板３の継目は隙間なく配置される。
これによれば、第１の実施形態と同様の効果を奏する他、化粧カバー２が基板３の上端面３０と垂直面３１の上方一部とを覆った第１の実施形態のものと比べて小さいサイズの部材となるので、手入れや化粧カバー２の着脱がより容易であるというメリットがある。
【００３１】
なお、係合突起部７及び係合受凹部８の形状、構成は図例に限定されるものではなく、また係合突起部７が基板３の反壁側切欠段部３３に設けられ、係合受凹部８が化粧カバー２の前面部２１内面に設けられたものとしてもよい。また図３に示す例のように角部１２にリップ部材１３を設けたものとしてもよい。
【００３２】
以上では巾木として用いられる見切り材１について説明したが、これに限定されず腰板として用いられる見切り材にも適用することができる。また化粧カバー２及び基板３の構成、形状、及び化粧カバー２の着脱構造は上述の例に限定されるものではない。
【図面の簡単な説明】
【００３３】
【図１】本発明に係る第１の実施形態に係る見切り材の構成を説明するための斜視図である。
【図２】同見切り材を壁面に取付けた状態を示す断面図である。
【図３】同見切り材にリップ部材が取付けられた例を示した要部拡大断面図である。
【図４】同見切り材の変形例を示した図２と同様図である。
【図５】同見切り材の更なる変形例を示した図２と同様図である。
【図６】（ａ）（ｂ）は図５に示す例の取付工程を説明するための要部拡大断面図である。
【図７】（ａ）（ｂ）は同見切り材の更に異なる変形例を示しており、取付工程を説明するための要部拡大断面図である。
【図８】本発明に係る第２の実施形態に係る見切り材を壁面に取付けた状態を示す断面図である。
【符号の説明】
【００３４】
１      見切り材
１０      空間部
１１      第２の空間部
１２      角部
１３      リップ部材
２      化粧カバー
２０      上端部
２１      前面部
２２      下端部
２４      延出部
３      基板
３０      上端面
３１      垂直面
３２      下端面
３３      反壁側切欠段部
３４      壁側切欠段部
４      壁面
５      床面
【図１】
2010121420.tif 000003
【図２】
2010121420.tif 000004
【図３】
2010121420.tif 000005
【図４】
2010121420.tif 000006
【図５】
2010121420.tif 000007
【図６】
2010121420.tif 000008
【図７】
2010121420.tif 000009
【図８】
2010121420.tif 000010